(57)【特許請求の範囲】
【請求項１】
不連続受信（ＤＲＸ）モードでのユーザ機器（ＵＥ）のＤＲＸ方法であって、
それぞれがＵＥにサービングしている少なくとも２つの基地局（ＢＳ）の１つの物理ダウンリンク制御チャネル（ＰＤＣＣＨ）の新規送信を検出するステップ（４０１、７０２）と、
前記少なくとも２つのＢＳの第１のＢＳのＰＤＣＣＨの新規送信が検出された場合に、前記少なくとも２つのＢＳの第２のＢＳのＰＤＣＣＨに対するＤＲＸスレッドはロングＤＲＸサイクルに留まりつつ、前記第１のＢＳのＰＤＣＣＨのダウンリンク割当を連続的にモニタリングするためにＤＲＸスレッドを起動する、又は、前記第２のＢＳのＰＤＣＣＨの新規送信が検出された場合に、前記第１のＢＳのＰＤＣＣＨに対するＤＲＸスレッドはロングＤＲＸサイクルに留まりつつ、前記第２のＢＳのＰＤＣＣＨのアップリンクグラントを連続的にモニタリングするためにＤＲＸスレッドを起動するステップ（４０２、７０４、７０６）とを備え、
前記第１のＢＳは、ダウンリンクサービングノードであり、一方、前記第２のＢＳは、アップリンクサービングノードである、
ＤＲＸ方法。
【請求項２】
初期ＲＲＣ確立中にＲＲＣシグナリングを介して検出される、前記少なくとも２つのＢＳの前記ＰＤＣＣＨのリソース構成についての情報を受信するステップ（７０１）をさらに備える、請求項１に記載のＤＲＸ方法。
【請求項３】
前記ＵＥが前記少なくとも２つのＢＳによってサービングされる領域に入った場合に検出される、前記少なくとも２つのＢＳの前記ＰＤＣＣＨのリソース構成についての情報を受信するステップ（７０１）をさらに備える、請求項１に記載のＤＲＸ方法。
【請求項４】
前記ＵＥは、ＤＲＸ構成パラメータのまったく同一のセットを、前記少なくとも２つのＢＳの前記各ＤＲＸスレッドに適用する、請求項２または３に記載のＤＲＸ方法。
【請求項５】
前記ＤＲＸスレッドを起動するステップは、ショートサイクルタイマ無しに、非アクティビティタイマを構成するステップを備える、請求項２または３に記載のＤＲＸ方法。
【請求項６】
前記ＤＲＸスレッドを起動するステップは、非アクティビティタイマおよびショートサイクルタイマをも構成するステップを備える、請求項２または３に記載のＤＲＸ方法。
【請求項７】
以下のタイマ、すなわち、ＨＡＲＱ  ＲＴＴタイマおよびｄｒｘ−再送信タイマの少なくとも一方は、前記検出された新規送信が前記第２のＢＳからのものであった場合に、前記起動されたＤＲＸスレッドで無効化される（７０５）、請求項１に記載のＤＲＸ方法。
【請求項８】
前記ＵＥがゼロバッファ状態レポート（ｚｅｒｏ−ＢＳＲ）を前記第２のＢＳに送信した後、連続的ＰＤＣＣＨモニタリングを停止するステップをさらに備える、請求項１に記載のＤＲＸ方法。
【請求項９】
前記ＵＥがゼロバッファ状態レポート（ｚｅｒｏ−ＢＳＲ）を前記第２のＢＳに送信した後に所定のタイマ（８４０）が切れた場合に、連続的ＰＤＣＣＨモニタリングを停止するステップをさらに備え、前記所定のタイマは、前記ＵＥが前記ｚｅｒｏ−ＢＳＲを前記第２のＢＳに送信すると開始される、請求項１に記載のＤＲＸ方法。
【請求項１０】
前記第１のＢＳは、前記第２のＢＳよりも高い送信電力を有する、請求項１に記載のＤＲＸ方法。
【請求項１１】
前記第１のＢＳのダウンリンクは、前記第２のＢＳのアップリンクから切り離される、請求項１に記載のＤＲＸ方法。
【請求項１２】
前記ＰＤＣＣＨは、拡張ＰＤＣＣＨ（ｅＰＤＣＣＨ）を備える、請求項１から１１のいずれか一項に記載のＤＲＸ方法。
【請求項１３】
不連続受信（ＤＲＸ）モードでのユーザ機器（ＵＥ）であって、
それぞれが前記ＵＥにサービングしている少なくとも２つの基地局（ＢＳ）の１つの物理ダウンリンク制御チャネル（ＰＤＣＣＨ）を検出するよう構成される検出ユニット（８０２）と、
前記ＵＥのＤＲＸサイクルを制御するよう構成されるＤＲＸ制御ユニット（８０３）と
を備え、
前記ＤＲＸ制御ユニットは、前記少なくとも２つのＢＳの第１のＢＳのＰＤＣＣＨの新規送信が検出された場合に、前記少なくとも２つのＢＳの第２のＢＳのＰＤＣＣＨに対するＤＲＸスレッドはロングＤＲＸサイクルに留まりつつ、前記第１のＢＳのＰＤＣＣＨのダウンリンク割当を連続的にモニタリングするためにＤＲＸスレッドを起動する、又は、前記第２のＢＳのＰＤＣＣＨの新規送信が検出された場合に、前記第１のＢＳのＰＤＣＣＨに対するＤＲＸスレッドはロングＤＲＸサイクルに留まりつつ、前記第２のＢＳのＰＤＣＣＨのアップリンクグラントを連続的にモニタリングするためにＤＲＸスレッドを起動するよう構成され、
前記第１のＢＳは、ダウンリンクサービングノードであり、一方、前記第２のＢＳは、アップリンクサービングノードである、
ユーザ機器。
【請求項１４】
初期ＲＲＣ確立中にＲＲＣシグナリングを介して検出される、前記少なくとも２つのＢＳの前記ＰＤＣＣＨのリソース構成についての情報を受信するよう構成されるリソース構成受信ユニット（８０１）をさらに備える、請求項１３に記載のＵＥ。
【請求項１５】
前記ＵＥが前記少なくとも２つのＢＳによってサービングされる領域に入った場合に検出される、前記少なくとも２つのＢＳの前記ＰＤＣＣＨのリソース構成についての情報を受信するよう構成されるリソース構成受信ユニット（８０１）をさらに備える、請求項１３に記載のＵＥ。
【発明の詳細な説明】
【技術分野】
【０００１】
本出願は、不連続受信（ＤＲＸ）方法に関する。特に、本出願は、ＤＲＸ方法およびＣｏＭＰ（協調マルチポイント）シナリオでのＤＲＸ方法を使用するユーザ機器（ＵＥ）に関する。
【背景技術】
【０００２】
本明細書に別段示されない限り、この項で説明される手法は、本出願の特許請求の範囲に対する従来技術ではなく、この項内に含まれることにより従来技術とみなされるものではない。
【０００３】
第３世代パートナーシップ・プロジェクト（３ＧＰＰ）は、電気通信協会のさまざまなグループ間の共同作業の結果であるグローバルに適用可能な第３世代携帯電話システムの仕様であり、そのようなグループには、欧州電気通信標準化機構、社団法人電波産業会／社団法人情報通信技術委員会（ＡＲＩＢ／ＴＴＣ）、中国通信標準化協会、および米国電気通信標準化連盟がある。３ＧＰＰの作業は、ユニバーサル地上無線アクセスネットワーク（ＵＴＲＡＮ）ロングタームエボリューション（ＬＴＥ）で進行中である。３ＧＰＰ  ＲＡＮ２作業グループは、ユーザ機器（ＵＥ）のバッテリー寿命およびリソースを保存するために、不連続受信（ＤＲＸ）機構を定義した。ＤＲＸの主原理は、ユーザ機器（ＵＥ）挙動が、ＵＥによる物理ダウンリンク制御チャネル（ＰＤＣＣＨ）の正常な復号化に対して定義されることである。ＵＥがＤＲＸにある場合、ＵＥは、一時的にＰＤＣＣＨのモニタリングを停止することが可能になる。ＤＲＸは、１つまたは２つの所定のサイクル（ロングサイクルおよび／またはショートサイクル）を使用し、「オン期間（Ｏｎ  Ｄｕｒａｔｉｏｎ）」タイマに従い、サイクルのはじめに、ＵＥが、ある程度の送信時間間隔（ＴＴＩ）にわたってＰＤＣＣＨをモニタリングする。ＰＤＣＣＨは、ダウンリンク（ＤＬ）割当およびアップリング（ＵＬ）グラントを搬送する。
【０００４】
ＵＥがオン期間後に起動している（例えば、ＰＤＣＣＨをモニタリングしている）か、停止しているかは、動作（すなわち、その期間の間の、受信可能なＰＤＣＣＨ制御データ）による。不要なスケジューリングを避け、さらに無線リソースの浪費を避けるために、基地局（例えば、ｅノードＢ）は、基地局からＵＥにダウンリンクデータを送信する場合に、ＵＥの状態を把握するべきである。したがって、動作状態からＤＲＸおよびその逆に変更するための明確なルールのセットが、参照文献１（３ＧＰＰ  Ｔｅｃｈｎｉｃａｌ  Ｓｐｅｃｉｆｉｃａｔｉｏｎ（ＴＳ）３６．３２１，「Ｍｅｄｉｕｍ  Ａｃｃｅｓｓ  Ｃｏｎｔｒｏｌ（ＭＡＣ）Ｓｐｅｃｉｆｉｃａｔｉｏｎ」Ｖ１０．１．０，Ｍａｒｃｈ，２０１１）に定義される。
【０００５】
図１は、ロングＤＲＸサイクルおよびショートＤＲＸサイクルを含む、従来のＤＲＸ機構を示す。ＵＥは、その受信器を起動し、ＰＤＣＣＨについてのスケジューリング情報をモニタリングする。ＰＤＣＣＨの送信信号が何ら検出されない場合、すなわち、ＵＥが起動しているが、ＰＤＣＣＨの送信信号が何ら検出されない場合、ＵＥは、受信器を終了し、すなわち、スリープ状態にし、バッテリー消費を減らすことができる。スリープ期間後、ＵＥは、再び、受信器を起動し、ＰＤＣＣＨをモニタリングする。本サイクルは、ロングＤＲＸサイクルと呼ばれる。ＰＤＣＣＨの送信信号が、ある時点で検出された場合、すなわち、ＵＥが起動し、ＰＤＣＣＨの送信信号が検出された場合、ＵＥは、ＰＤＣＣＨを連続的にモニタリングし、すなわち、非アクティビティタイマ（Ｉｎａｃｔｉｖｉｔｙ  Ｔｉｍｅｒ）が起動し、ＰＤＣＣＨをモニタリングするための動作時間を延長する。非アクティビティタイマが切れると、ショートＤＲＸサイクルが開始し、その間、ＵＥは、ロングＤＲＸサイクルで使用したスリープ期間よりも短いスリープ期間で起動する。ショートＤＲＸサイクルの後、ＵＥは、ロングＤＲＸサイクルに入る。ＤＲＸモードは、スモールヘッドセットなどのモバイルデバイスの待機時間を増やすために重要である。
【０００６】
参照文献１はまた、ｄｒｘ−再送信タイマ（ｄｒｘ−Ｒｅｔｒａｎｓｍｉｓｓｉｏｎ  Ｔｉｍｅｒ）、ｍａｃ−競合解除タイマ（ｍａｃ−Ｃｏｎｔｅｎｔｉｏｎ  Ｒｅｓｏｌｕｔｉｏｎ  Ｔｉｍｅｒ）、ＨＡＲＱ  ＲＴＴタイマ（ＨＡＲＱ  ＲＴＴ  Ｔｉｍｅｒ）およびＤＲＸモードで使用される他のものなどの、他のいくつかのパラメータを提供する。図１には、説明を簡単にするため、これらのパラメータは示さない。
【０００７】
現在、ＣｏＭＰ作業項目は、３ＧＰＰ  ＲＡＮ  ｐｌｅｎａｒｙ  ＃５３ミーティングで承認された。ＣｏＭＰシナリオにおけるＵＥは、ＵＥが、少なくとも２つの基地局（ＢＳ）によって、同時にサービングされたことを意味する。ＣｏＭＰシナリオでは、少なくとも２つの基地局（ＢＳ）は、別々の（ｅ）ＰＤＣＣＨについてのスケジューリング情報を送信し、ＵＥは、同時に、別々の（ｅ）ＰＤＣＣＨをモニタリングする。拡張ＰＤＣＣＨ（ｅＰＤＣＣＨ）は、ＰＤＣＣＨ制御チャネルの補足、増強、または交換のために使用される。２つ以上の（ｅ）ＰＤＣＣＨを使用する場合、（ｅ）ＰＤＣＣＨは、異なるリソース位置を割り当てられ、干渉を避ける。例えば、従来の物理ダウンリンク制御チャネル（ＰＤＣＣＨ）は、物理ダウンリンク制御チャネルの第１領域で送信され、一方、拡張物理ダウンリンク制御チャネル（ｅＰＤＣＣＨ）は、物理ダウンリンク制御チャネルの第２の領域で送信される。
【０００８】
ＣｏＭＰシナリオでは、新しいＤＲＸ方法が必要とされる。
【発明の概要】
【発明が解決しようとする課題】
【０００９】
本出願の目的は、ＣｏＭＰシナリオにおけるＤＲＸ方法、およびＤＲＸ方法を使用するユーザ機器を提供することである。
【課題を解決するための手段】
【００１０】
第１の態様によれば、ＤＲＸモードでのユーザ機器（ＵＥ）の不連続受信（ＤＲＸ）方法を提供し、それぞれがＵＥにサービングしている少なくとも２つの基地局（ＢＳ）の一方の物理ダウンリンク制御チャネル（ＰＤＣＣＨ）の新規送信を検出するステップと、新規送信が検出された一方のＢＳのＰＤＣＣＨを連続的にモニタリングするためにＤＲＸスレッドを起動するステップとを備える。
【００１１】
ＤＲＸ方法は、初期ＲＲＣ確立中にＲＲＣシグナリングを介して検出されるよう、少なくとも２つのＢＳのＰＤＣＣＨのリソース構成についての情報を受信するステップをさらに備えることが好ましい。
【００１２】
ＤＲＸは、ＵＥが少なくとも２つのＢＳによってサービングされる領域に入った場合に検出されるよう、少なくとも２つのＢＳのＰＤＣＣＨのリソース構成についての情報を受信するステップをさらに備えることが好ましい。
【００１３】
ＵＥは、ＤＲＸ構成パラメータのまったく同一のセットを、少なくとも２つのＢＳの各ＤＲＸスレッドに適用することができることが好ましい。
【００１４】
ＤＲＸスレッドを起動するステップは、ショートサイクルタイマ（ｓｈｏｒｔＣｙｃｌｅ  Ｔｉｍｅｒ）無しに、非アクティビティタイマを構成するステップを備えることが好ましい。
【００１５】
ＤＲＸスレッドを起動するステップは、非アクティビティタイマおよびショートサイクルタイマをも構成するステップを備えることが好ましい。
【００１６】
少なくとも２つのＢＳの第１のＢＳは、ダウンリンクサービングノードであり、一方、少なくとも２つのＢＳの第２のＢＳは、アップリンクサービングノードであることが好ましい。
【００１７】
以下のタイマ、すなわち、ＨＡＲＴ  ＲＴＴタイマおよびｄｒｘ−再送信タイマの少なくとも一方は、検出された新規送信が第２のＢＳからであった場合に、起動されたＤＲＸスレッドで無効化されることが好ましい。
【００１８】
ＤＲＸ方法は、ＵＥがゼロバッファ状態レポート（ｚｅｒｏ−ＢＳＲ）を第２のＢＳに送信した後、連続的ＰＤＣＣＨモニタリングを停止するステップをさらに備えることが好ましい。
【００１９】
好ましくは、ＤＲＸ方法は、ＵＥがゼロバッファ状態レポート（ｚｅｒｏ−ＢＳＲ）を第２のＢＳに送信した後に所定のタイマ（８４０）が切れた場合に、連続的ＰＤＣＣＨモニタリングを停止するステップをさらに備え、所定のタイマは、ＵＥがｚｅｒｏ−ＢＳＲを第２のＢＳに送信すると開始される。
【００２０】
第１のＢＳは、第２のＢＳよりも高い送信電力を有することが好ましい。
【００２１】
第１のＢＳのダウンリンクは、第２のＢＳのアップリンクから切り離されることが好ましい。
【００２２】
ＰＤＣＣＨは、拡張ＰＤＣＣＨ（ｅＰＤＣＣＨ）を備えることが好ましい。
【００２３】
第２の態様によれば、不連続受信（ＤＲＸ）モードでのユーザ機器（ＵＥ）が提供され、ユーザ機器（ＵＥ）は、それぞれがＵＥにサービングしている少なくとも２つの基地局（ＢＳ）の一方の物理ダウンリンク制御チャネル（ＰＤＣＣＨ）を検出するよう構成される検出ユニットと、ＵＥのＤＲＸサイクルを制御するよう構成されるＤＲＸ制御ユニットとを備え、ＤＲＸ制御ユニットは、検出ユニットが、そのＰＤＣＣＨの新規送信を検出すると、ＰＤＣＣＨを連続的にモニタリングするために、ＤＲＸスレッドを起動するよう構成される。
【００２４】
ＵＥは、初期ＲＲＣ確立中にＲＲＣシグナリングを介して検出されるよう、少なくとも２つのＢＳのＰＤＣＣＨのリソース構成についての情報を受信するよう構成されるリソース構成受信ユニットをさらに備えることができることが好ましい。
【００２５】
ＵＥは、ＵＥが少なくとも２つのＢＳによってサービングされる領域に入った場合に検出されるよう、少なくとも２つのＢＳのＰＤＣＣＨのリソース構成についての情報を受信するよう構成されるリソース構成受信ユニットをさらに備えることができることが好ましい。
【００２６】
ＤＲＸ制御ユニットは、ＤＲＸ構成パラメータのまったく同一のセットを、少なくとも２つのＢＳの各ＤＲＸスレッドに適用するよう構成されることが好ましい。
【００２７】
ＤＲＸ制御ユニットは、ＤＲＸスレッドを起動する場合に、ショートサイクルタイマ無しに、非アクティビティタイマを構成するようさらに構成されることが好ましい。
【００２８】
ＤＲＸ制御ユニットは、ＤＲＸスレッドを起動する場合に、非アクティビティタイマおよびショートサイクルタイマをも構成するようさらに構成されることが好ましい。
【００２９】
少なくとも２つのＢＳの第１のＢＳは、ダウンリンクサービングノードであり、一方、少なくとも２つのＢＳの第２のＢＳは、アップリンクサービングノードであることが好ましい。
【００３０】
ＤＲＸ制御ユニットは、起動されたＤＲＸスレッドにおいて、以下のタイマ、すなわち、ＨＡＲＴ  ＲＴＴタイマおよびｄｒｘ−再送信タイマの少なくとも一方を無効にするようさらに構成されることが好ましい。
【００３１】
ＤＲＸ制御ユニットは、ＵＥがゼロバッファ状態レポート（ｚｅｒｏ−ＢＳＲ）を第２のＢＳに送信した後、連続的ＰＤＣＣＨモニタリングを停止するようさらに構成されることが好ましい。
【００３２】
好ましくは、ＤＲＸ制御ユニットは、ＵＥがゼロバッファ状態レポート（ｚｅｒｏ−ＢＳＲ）を第２のＢＳに送信した後に所定のタイマが切れた場合に、連続的ＰＤＣＣＨモニタリングを停止するようさらに構成され、所定のタイマは、ＵＥがｚｅｒｏ−ＢＳＲを第２のＢＳに送信した後に開始される。
【００３３】
本出願の実施形態によれば、本出願は、以下の利点を有する。
ＤＲＸ構成のただ１つのセットを使用して、分離シナリオにおけるマクロＢＳおよびピコＢＳなどの、複数のＢＳからの（ｅ）ＰＤＣＣＨをモニタリングすることができる。
ブラインド検出の回数を、ほぼ半分に減らすことができる。
計算の複雑度を低減することができる。
ＵＥの電力を節約できる。
【００３４】
本開示の上記および他の特徴は、添付図面と併せて以下の説明および添付の特許請求の範囲から、より完全に明らかになるであろう。これらの図面は、本開示によるいくつかの実施形態のみを示し、その範囲を限定するものとみなされるべきではなく、本開示は、添付図面の使用を通じてさらに具体的かつ詳細に説明されることが理解されよう。
【図面の簡単な説明】
【００３５】
【図１】従来のＤＲＸ機構を示す図である。
【図２】本発明を実施することができる無線通信システムの図である。
【図３】図２に示すような無線通信システムにおける既存のＤＲＸ機構を直接適用することによって得られるＤＲＸ機構を示す図である。
【図４】本発明の一実施形態によるＤＲＸ方法のフローチャートである。
【図５】本発明の一実施形態によるＤＲＸ方法を適用することによって得られるＤＲＸ機構を示す図である。
【図６】典型的な分離アップリンクおよびダウンリンクシナリオを示す図である。
【図７】図６に示すような分離ＤＬ／ＵＬシナリオにおける本発明の一実施形態によるＤＲＸ方法のフローチャートである。
【図８】本発明の一実施形態によるユーザ機器のブロック図である。
【発明を実施するための形態】
【００３６】
以下の詳細な説明では、多数の特定の詳細が記載され、特許請求される発明の主題の完全な理解をもたらす。しかしながら、特許請求される発明の主題は、これらの特定の詳細なしに実施してもよいことが、当業者によって理解されるであろう。他の例では、周知の方法、プロシージャ、構成要素、および／または回路は、詳細に説明していない。
【００３７】
本明細書で説明する技術は、ＣＤＭＡ、ＴＤＭＡ、ＦＤＭＡ、ＯＦＤＭＡ、ＳＣ−ＦＤＭＡ、および他のネットワークなどの、さまざまな無線通信ネットワークに対して使用することができる。「ネットワーク」および「システム」という用語は、区別なく使用されることが多い。本明細書で説明する技術は、上記の無線ネットワークおよび無線技術、ならびに他の無線ネットワークおよび無線技術に対して使用することができる。明瞭にするために、本技術のある態様は、ＬＴＥの場合について以下で説明し、ＬＴＥという用語は、以下の説明で多く使用される。
【００３８】
例示的無線通信システム
次に、図２を参照すると、本発明を実施することができる無線通信システム２００の図について説明する。無線通信システム２００は、いくつかの拡張ノードＢ（ｅＮＢ）およびユーザ機器を含むことができる。
【００３９】
ｅＮＢは、ユーザ機器（ＵＥ）と通信するステーションとすることができ、基地局、ノードＢ、アクセスポイントなどと称してもよい。各ｅＮＢは、特定の地理的領域に対して通信カバレッジをもたらすことができる。３ＧＰＰでは、「セル」という用語は、用語が使用される文脈に応じて、ｅＮＢのカバレッジ領域および／またはこのカバレッジ領域をもたらすｅＮＢサブシステムを表すことができる。
【００４０】
ｅＮＢは、マクロセル、ピコセル、フェムトセル、および／または他の種類のセルに対する通信カバレッジをもたらすことができる。マクロセルは、比較的広い地理的領域（例えば、半径数キロメートル）をカバーすることができ、サービスに加入しているＵＥによる非制限アクセスを可能にすることができる。ピコセルは、比較的狭い地理的領域をカバーすることができ、サービスに加入しているＵＥによる非制限アクセスを可能にすることができる。フェムトセルは、比較的狭い地理的領域（例えば、家）をカバーすることができ、フェムトセルとの関連を有するＵＥ（例えば、クローズド加入者グループ（ＣＳＣ）のＵＥ、および家の中のユーザのＵＥなど）による制限付きアクセスを可能にすることができる。マクロセルの場合のｅＮＢは、マクロｅＮＢ（すなわち、マクロ基地局）と称することがある。ピコセルの場合のｅＮＢは、ピコｅＮＢ（すなわち、ピコ基地局）と称することがある。フェムトセルの場合のｅＮＢは、フェムトｅＮＢ（すなわち、フェムト基地局）またはホームｅＮＢと称することがある。
【００４１】
無線通信システム２００はまた、リレーステーション（図示せず）を含むことができる。リレーステーションは、上流ステーション（例えば、ｅＮＢまたはＵＥ）からデータおよび／または他の情報の送信信号を受信し、データおよび／または他の情報の送信信号を下流ステーション（例えば、ＵＥまたはｅＮＢ）に送信するステーションである。
【００４２】
ＵＥは、無線通信システム２００全体にわたって配置することができ、各ＵＥは、静止体または移動体とすることができる。ＵＥはまた、端末、モバイルステーション、加入者ユニット、およびステーションなどと称してもよい。ＵＥは、携帯電話、携帯情報端末（ＰＤＡ）、無線モデム、無線通信デバイス、ハンドヘルドデバイス、ラップトップコンピュータ、コードレス電話、無線ローカルループ（ＷＬＬ）ステーション、およびタブレットなどであってもよい。ＵＥは、マクロｅＮＢ、ピコｅＮＢ、フェムトｅＮＢ、およびリレーなどと通信可能とすることができる。
【００４３】
説明を簡単にするために、図２には、２つの基地局、すなわち、ＢＳ２１０およびＢＳ２２０、ならびに１つのユーザ機器、すなわち、ＵＥ２３０のみを示す。
【００４４】
図のように、ＵＥ２３０は、ＢＳ２１０およびＢＳ２２０によってカバーされる領域内に位置し、そのそれぞれが、ＵＥ２３０にサービングする。図２に示すように、ＢＳ２１０およびＢＳ２２０の両方が、ＰＤＣＣＨについてのスケジューリング情報を、ＵＥ２３０に送信して、ＵＥ２３０をスケジューリングする。例えば、ＢＳ２１０は、ＰＤＣＣＨを使用し、一方、ＢＳ２２０は、ｅＰＤＣＣＨを使用する。２つのＢＳのＰＤＣＣＨ（ＰＤＣＣＨおよびｅＰＤＣＣＨ）のリソース位置は、干渉を避けるために異なる。
【００４５】
ソフトセルの観点から、ＢＳ２１０およびＢＳ２２０は、ＵＥ観点内の同じセルにある。何らのＣｏＭＰシナリオも考慮されていないＤＲＸモードについての現在の３ＧＰＰ仕様によれば、非アクティビティタイマおよびショートサイクルタイマは、特定のＵＥに対するＰＤＣＣＨの送信信号によって起動される。すなわち、ＵＥが、ＰＤＣＣＨの、Ｃ−ＲＮＴＩ、ＴＰＣ−ＰＵＣＣＨ−ＲＮＴＩ、ＴＰＣ−ＰＵＳＣＨ−ＲＮＴＩ、またはＳｅｍｉ−Ｐｅｒｓｉｓｔｅｎｔ  Ｓｃｈｅｄｕｌｉｎｇ  Ｃ−ＲＮＴＩを検出した場合、非アクティビティタイマおよびショートサイクルタイマが起動して、ＰＤＣＣＨを連続的にモニタリングする。
【００４６】
図３は、図２に示すような無線通信システム２００において既存のＤＲＸ機構を直接適用することによって得られるＤＲＸ機構を示す。図３に示すように、ＢＳ２１０のＰＤＣＣＨの送信信号が検出された場合、ＵＥは、非アクティビティタイマおよびショートサイクルタイマを開始して、ＢＳ２１０およびＢＳ２２０の両方の（ｅ）ＰＤＣＣＨを連続的にモニタリングする。ＢＳ２１０のＰＤＣＣＨの送信信号が、ＢＳ２０２のｅＰＤＣＣＨの送信信号に結びつけられない場合、ＢＳ２１０のＰＤＣＣＨの送信信号は、ＢＳ２２０のｅＰＤＣＣＨ動作を意味せず、逆も同様である。さらに、（ｅ）ＰＤＣＣＨをモニタリングすることは、電力を消費する。したがって、ＢＳ２１０のＰＤＣＣＨの送信信号を伴って起動された連続的ｅＰＤＣＣＨモニタリングは、電力が限られたＵＥに対して不要であり、ＵＥの電力を浪費する。
【００４７】
例示的ＤＲＸ動作
図４は、本発明の一実施形態によるＤＲＸ方法４００のフローチャートを示す。本方法は、図２に示すような無線通信システム２００におけるＵＥに適用される。図４に示すように、本方法は、ＵＥが、２つのＢＳによってカバーされる領域に来ると開始され、ＤＲＸモードでのＵＥは、ステップＳ４０１で、ＢＳ２１０およびＢＳ２２０の任意の（ｅ）ＰＤＣＣＨの送信信号を検出する。一方のＢＳの（ｅ）ＰＤＣＣＨの新規送信がステップＳ４０１で検出された場合、例えば、ＢＳ２１０からのＰＤＣＣＨの送信信号が検出された場合、本方法は、ステップＳ４０２に進み、ＤＲＸスレッドが起動し、新規送信が検出されたＰＤＣＣＨをモニタリングする。
【００４８】
図５は、本発明の一実施形態によるＤＲＸ方法を適用することによって得られるＤＲＸ機構を示す図である。はじめに、何らの（ｅ）ＰＤＣＣＨの送信信号も検出されず、ＵＥは、従来のＤＲＸ機構と同様に、ロングＤＲＸサイクルにある。ＵＥが、ＢＳ２１０からＰＤＣＣＨの新規送信を検出した場合、ＤＲＸスレッドが起動し、すなわち、非アクティビティタイマおよびショートサイクルタイマが開始されて、ＢＳ２１０のＰＤＣＣＨを連続的にモニタリングする。同時に、ＢＳ２２０のｅＰＤＣＣＨに対して、何らの新規送信も検出されないため、ＵＥは、ロングＤＲＸサイクルに留まる。すなわち、ＢＳ２１０のＰＤＣＣＨに対するＤＲＸスレッドは、ＢＳ２２０のｅＰＤＣＣＨに対するＤＲＸスレッドと無関係である。同様に、ＢＳ２２０からのｅＰＤＣＣＨの送信信号が代わりに検出された場合（図５には図示せず）、ＵＥは、ＤＲＸスレッドを開始して、ｅＰＤＣＣＨを連続的にモニタリングし、一方、ＰＤＣＣＨのＤＲＸスレッドは、変更されないままである。
【００４９】
図２に示すような無線通信システムにおいて本発明によるＤＲＸ方法を適用することによって、ＵＥは、送信信号が検出されたＰＤＣＣＨのみを連続的にモニタリングし、何らの送信信号も検出されない他のＰＤＣＣＨに対してロングＤＲＸサイクルに留まり、それにより、ＵＥの電力消費を低減することができる。
【００５０】
例示的分離シナリオ
図６は、典型的な分離アップリンクおよびダウンリンクシナリオを示す。図６に示すように、ＵＥ６３０は、マクロセルおよびピコセルによってカバーされる領域内に位置する。マクロセルがピコセルよりもはるかに高い送信電力を有するので、カバレッジは、マクロセルおよびピコセルに対して異なる。ＵＥ６３０が、マクロセルカバレッジに位置するが、ピコセルの境界にある場合、マクロセルから受信したダウンリンク信号は、ピコセルからのものよりも強い。したがって、ＵＥ６３０は、マクロセルと関連付けられ、マクロセルからのダウンリンク信号を受信する。アップリンクの場合、ＵＥ６３０は、マクロセルよりピコセルに近いため、受信ポイントとしてピコセルを選択する方がよく、ＵＥの送信電力を低減し、ピコセル内の他のＵＥへの干渉を減らす。したがって、ＵＥ６３０に対して、マクロＢＳは、ダウンリンクサービングノードであり、一方、ピコＢＳは、アップリンクサービングノードである。これは、いわゆる、分離ダウンリンク／アップリンクシナリオである。
【００５１】
分離ＤＬ−ＵＬシナリオでは、何らかのバックホール接続（良好：遅延〜０．５ｍｓ未満、中間：遅延〜５ｍｓ、任意：遅延〜５０−１００ｍｓ）が考慮される場合、マクロＢＳとピコＢＳとの間の瞬時の情報交換をサポートすることは難しく、すなわち、マクロＢＳ（ＤＬ）とピコＢＳ（ＵＬ）との間のＤＬ／ＵＬ分離を実現する必要がある。例えば、極度の干渉を避けるために、マクロポイントによって予約されたリソースで、マクロＢＳがＤＬのためにＰＤＣＣＨおよび／またはｅＰＤＣＣＨ１を使用することによって、およびピコＢＳがＵＬのためにｅＰＤＣＣＨ２を使用することによって、実現することができ、図６に示す。
【００５２】
分離シナリオでの例示的ＤＲＸ動作
図７は、図６に示すような分離ＤＬ／ＵＬシナリオにおける本発明の一実施形態によるＤＲＸ方法７００のフローチャートを示す。本方法は、ＵＥ６３０が、分離領域に入ると開始される。分離領域内で現在動作していることを通知するために、ネットワークからＵＥへのＲＲＣシグナリングが存在する。ＵＥ６３０は、ステップＳ７０１でマクロＢＳおよびピコＢＳの（ｅ）ＰＤＣＣＨのリソース構成についての情報を受信することができる。本情報は、ＵＥが分離領域に入った場合に送信されるＲＲＣシグナリングについてピギーバックすることができる。あるいは、ＵＥは、初期ＲＲＣ確立段階の間、ＲＲＣシグナリングを介して、マクロＢＳおよびピコＢＳの（ｅ）ＰＤＣＣＨのリソース構成についての情報を受信してもよい。その場合、ＵＥは、ステップＳ７０２で、両ＢＳの（ｅ）ＰＤＣＣＨについての送信信号を検出することができる。（ｅ）ＰＤＣＣＨは、異なるリソース位置を有し、したがって、ＵＥは、異なるＢＳの（ｅ）ＰＤＣＣＨを区別することができる。一方のＢＳの（ｅ）ＰＤＣＣＨの新規送信が、ステップＳ７０２で検出された場合、例えば、ピコＢＳからのｅＰＤＣＣＨ２の送信信号が検出された場合、本方法は、ステップＳ７０３に進み、ＵＥは、検出したＰＤＣＣＨが、マクロＢＳからか、ピコＢＳからかを判断する。検出された送信信号が、マクロＢＳのＰＤＣＣＨである場合、本方法は、ステップＳ７０４に進み、ＤＲＸスレッドが起動して、マクロＢＳのＰＤＣＣＨを連続的にモニタリングする。検出された送信信号が、ステップＳ７０３で、ピコＢＳからであると判断された場合、本方法は、ステップＳ７０５に進み、ＤＲＸスレッドが起動して、ピコＢＳのｅＰＤＣＣＨを連続的にモニタリングする。
【００５３】
ＤＲＸ方法７００では、ＵＥは、ＤＲＸ構成パラメータのまったく同一のセットを、マクロＢＳおよびピコＢＳの各ＤＲＸスレッドに適用することができる。すなわち、ＤＲＸ構成パラメータのただ１つのセットを、例えば、ＭＡＣ−ＭａｉｎＣｏｎｆｉｇ  ＲＲＣ  ＩＥで、ＲＲＣ接続セットアップ段階の間、ネットワークによって、ＵＥに送信すればよく、その場合、ＵＥは、ＤＲＸ構成パラメータのセットを格納し、そのようなセットは、例えば、オン期間タイマ、非アクティビティタイマ、ショートサイクルタイマ、ｄｒｘ−送信タイマ（ｄｒｘ−Ｔｒａｎｓｍｉｓｓｉｏｎ  Ｔｉｍｅｒ）、ｍａｃ−競合解除タイマ、ＨＡＲＱ  ＲＴＴタイマ、およびストレージ内の他のものを含む。本開示では、さまざまなタイマに対する名称は、参照文献１での定義と同じであり、各タイマは、同じ名称を有するものと同じ方法で機能する。最も共通の場合では、マクロＢＳに対して起動されたＤＲＸスレッドは、ピコＢＳに対して起動されたＤＲＸスレッドと同じである。言い換えると、（ｅ）ＰＤＣＣＨの新規送信が検出された場合、ＵＥが作動し、従来のＤＲＸスキームと同様に検出されたＰＤＣＣＨを連続的にモニタリングし、すなわち、非アクティビティタイマおよびショートサイクルタイマ、ならびに他の適切なタイマも開始する。したがって、ＵＥは、ロングＤＲＸサイクルから起動し、検出された（ｅ）ＰＤＣＣＨを連続的にモニタリングし、次いで、ショートＤＲＸサイクルに入り、最終的に、非アクティビティタイマおよびショートサイクルタイマが切れた場合に、再びロングＤＲＸサイクルに入る。代替実施形態において、ＵＥは、ＤＲＸスレッドを起動すると、ショートサイクルタイマを構成しない。本実施形態では、ＵＥは、検出された（ｅ）ＰＤＣＣＨを連続的にモニタリングするために起動し、次いで、非アクティビティタイマがショートＤＲＸサイクル無しに切れた場合に、ロングＤＲＸサイクルにすぐに入る。
【００５４】
単純化は、分離ＤＬ／ＵＬシナリオで実現してもよい。一方で、ステップＳ７０４でのＵＥに対するダウンリンクサービングノードであるマクロＢＳのＰＤＣＣＨを連続的にモニタリングするためにＤＲＸスレッドを起動する場合、既存のＤＲＸタイマ、すなわち、オン期間タイマ、ｄｒｘ−非アクティビティタイマ、ｄｒｘ−再送信タイマ、ロングＤＲＸサイクル開始オフセット（ｌｏｎｇＤＲＸ−ＣｙｃｌｅＳｔａｒｔＯｆｆｓｅｔ）、ショートＤＲＸサイクル（ｓｈｏｒｔＤＲＸ  Ｃｙｃｌｅ）、およびｄｒｘショートサイクルタイマ（ｄｒｘＳｈｏｒｔＣｙｃｌｅ  Ｔｉｍｅｒ）をすべて適用することができる。これは、ＤＬデータが、ネットワーク、すなわち、マクロＢＳに起因するためであり、ＵＥが、ＤＬバッファ状態に対してブラインド状態であるためである。したがって、ＵＥは、遅延と電力消費とを均衡させるために、ＤＲＸに依存する必要がある。
【００５５】
他方で、ステップＳ７０５でのＵＥに対するアップリンクサービングノードであるピコＢＳのｅＰＤＣＣＨを連続的にモニタリングするためにＤＲＸスレッドを起動する場合、ＤＲＸスレッドは、ＵＥがＵＬバッファ状態を把握しているため、ある程度単純化することができる。例えば、何らのＤＬスケジューリングも、検出されたｅＰＤＣＣＨで予期されないので、ＤＬ専用タイマを構成する必要がない。したがって、ステップＳ７０６では、ＵＥによりＤＬ関連タイマが無効になり、そのようなタイマには、ＨＡＲＴ  ＲＴＴタイマおよびｄｒｘ−再送信タイマの少なくとも一方が含まれる。ＵＬデータはＵＥ自身に起因するので、ＵＥのＵＬバッファが空であり、ＵＥがアップリンクで送信すべきデータをこれ以上有していないとゼロバッファ状態レポート（ｚｅｒｏ−ＢＳＲ）が示すので、ｚｅｒｏ−ＢＳＲをピコＢＳに送信した後、ＵＥは、連続的ｅＰＤＣＣＨモニタリングをすぐに停止することができ、例えば、非アクティビティタイマおよび可能なショートサイクルタイマを停止して、ロングＤＲＸサイクルに入ることができる。そのような場合では、ＵＥのＨＡＲＱ再送信は、独立して続き、データが正確に送信されることを確実にすることができる。代替実施形態として、ＵＥは、ステップＳ７０７で、ｚｅｒｏ−ＢＳＲを、ピコＢＳに送信し、タイマを開始する。タイマは、ＵＥにおいて、所定の期間を有する追加タイマである。ステップＳ７０８で、タイマが切れたかどうかを判断する。タイマが切れた場合、ＵＥは、ステップＳ７０９で、連続的なｅＰＤＣＣＨモニタリングを停止する。
【００５６】
さらに、検出されたピコＢＳのｅＰＤＣＣＨの送信信号である場合、ＵＥは、ＵＬグラントのみがピコＢＳから送信されるので、ＤＣＩフォーマット関連ＵＬをブラインド検出することのみが必要である。したがって、計算の複雑度および電力消費を、さらに低減することができる。
【００５７】
上記した方法７００は、図７の対応する機能を実行することを可能にする何らかの適切な構成要素または他の手段によって実行することができる。例えば、図７に示した方法は、ＵＥなどの、図８で以下に示す送信点の構成要素によって実行してもよい。
【００５８】
図８は、本発明の一実施形態によるユーザ機器８００のブロック図である。図８に示すように、ＵＥ８００は、検出ユニット８０２およびＤＲＸ制御ユニット８０３を備える。ＤＲＸモードのＵＥの場合、検出ユニット８０２は、サービングノードの（ｅ）ＰＤＣＣＨの送信信号を検出するよう構成される。ＤＲＸ制御ユニット８０３は、ＵＥ８００のＤＲＸサイクルを制御するよう構成される。ＤＲＸモードのＵＥの場合、ＤＲＸ制御ユニット８０３は、サービングノードの（ｅ）ＰＤＣＣＨを不連続的にモニタリングするために適切なＤＲＸタイマを構成する。検出ユニット８０２が、あるサービングノードの（ｅ）ＰＤＣＣＨでの新規送信を検出した場合、ＤＲＸ制御ユニット８０３は、ＤＲＸスレッドを起動し、新規送信が検出された（ｅ）ＰＤＣＣＨを連続的にモニタリングする。
【００５９】
ＵＥ８００は、サービングノードの（ｅ）ＰＤＣＣＨのリソース構成についての情報を受信するよう構成されるリソース構成受信ユニット８０１をさらに備えることができる。リソース構成受信ユニット８０１は、ＵＥ８００が分離領域に入った場合に送信されるＲＲＣシグナリングで情報を受信することができる。ＲＲＣシグナリングは、ＵＥに、そのＵＥが現在、分離領域で動作していることを知らせるために送信される。あるいは、リソース構成受信ユニット８０１は、初期ＲＲＣ確立段階の間、ＲＲＣシグナリングを介して、情報を受信してもよい。モニタリング対象の（ｅ）ＰＤＣＣＨのリソース位置を把握すると、次いで、ＵＥ８００は、（ｅ）ＰＤＣＣＨをモニタリングすることによって、（ｅ）ＰＤＣＣＨの送信信号を検出することができる。
【００６０】
ＵＥ８００は、ストレージ（図８には図示せず）をさらに備えることができ、ＤＲＸモード中に適用されるべきＤＲＸ構成パラメータを格納することができる。一実施形態において、ＵＥ８００は、１セットのＤＲＸ構成パラメータを格納することができ、ＤＲＸスレッドが互いに別々であるため、同一セットのＤＲＸ構成パラメータを、サービングノードの各ＤＲＸスレッドに適用することができる。最も共通の場合では、図６に示すように、ＵＥ８００が領域に入ると、ＤＲＸ制御ユニット８０２は、同じＤＲＸ構成パラメータ（例えば、タイマ）を適用して、ピコＢＳに対してＤＲＸスレッドを起動するように、マクロＢＳに対してＤＲＸスレッドを起動するよう構成することができる。言い換えると、検出ユニット８０２が、（ｅ）ＰＤＣＣＨの新規送信を検出した場合、ＤＲＸ制御ユニット８０３は、ＤＲＸスレッドを起動し、従来のＤＲＸスキームと同様に検出されたＰＤＣＣＨを連続的にモニタリングし、すなわち、非アクティビティタイマならびにショートサイクルタイマ、および他の適切なタイマも開始するように構成される。したがって、ＵＥ８００は、ロングＤＲＸサイクルから起動し、検出された（ｅ）ＰＤＣＣＨを連続的にモニタリングし、次いで、ショートＤＲＸサイクルに入り、最終的に、非アクティビティタイマおよびショートサイクルタイマが切れた場合に、再びロングＤＲＸサイクルに入る。代替実施形態において、ＤＲＸ制御ユニット８０３は、ＤＲＸスレッドを起動すると、ショートサイクルタイマを構成しない。本実施形態では、ＵＥ８００は、検出された（ｅ）ＰＤＣＣＨを連続的にモニタリングするために起動し、次いで、非アクティビティタイマがショートＤＲＸサイクル無しに切れた場合に、ロングＤＲＸサイクルにすぐに入る。
【００６１】
単純化は、分離ＤＬ／ＵＬシナリオ内にあるＵＥ８００で実現してもよい。例えば、ＤＲＸ制御ユニット８０３は、ＤＲＸスレッドを起動し、ＵＥへのダウンリンクサービングノードであるマクロＢＳのＰＤＣＣＨを連続的にモニタリングする場合、既存のＤＲＸタイマ、すなわち、オン期間タイマ、ｄｒｘ−非アクティビティタイマ、ｄｒｘ−再送信タイマ、ロングＤＲＸサイクル開始オフセット、ショートＤＲＸサイクル、およびｄｒｘショートサイクルタイマを適用するよう構成される。ＤＲＸ制御ユニット８０３は、ＤＲＸスレッドを起動して、ＵＥに対するアップリンクサービングノードであるピコＢＳのＰＤＣＣＨを連続的にモニタリングする場合に、単純化ＤＲＸスレッドを起動するようさらに構成される。単純化ＤＲＸスレッドは、無効化ＤＬ関連タイマを備え、そのようなタイマには、ＨＡＲＴ  ＲＴＴタイマおよびｄｒｘ−再送信タイマの少なくとも一方が含まれる。さらに、ＵＥのＵＬバッファが空であるとゼロバッファ状態レポート（ｚｅｒｏ−ＢＳＲ）が示すので、ＵＥ８００がｚｅｒｏ−ＢＳＲをピコＢＳに送信した後、ＤＲＸ制御ユニット８０３は、連続的ｅＰＤＣＣＨモニタリングをすぐに停止するように構成でき、例えば、非アクティビティタイマおよび可能なショートサイクルタイマを停止して、ロングＤＲＸサイクルに入ることができる。あるいは、ＵＥ８００は、既存のＤＲＸタイマに加えて提供される追加タイマ８０４をさらに備えてもよい。追加タイマ８０４は、ＵＥ８００がｚｅｒｏ−ＢＳＲをピコＢＳに送信すると開始される。ＤＲＸ制御ユニット８０３は、タイマ８４０が切れると、連続的ＰＤＣＣＨモニタリングを停止するよう構成される。
【００６２】
図８のユーザ機器８００は、さまざまな構成において、図示したよりも多いか、または少ない構成要素を含んでもよく、請求項に記載された発明の主題の範囲は、この点において限定されないことに留意されたい。
【００６３】
本出願の上記実施形態によれば、本出願は、以下の利点を有する。
ＤＲＸ構成のただ１つのセットを使用して、分離シナリオにおけるマクロＢＳおよびピコＢＳなどの、複数のＢＳからの（ｅ）ＰＤＣＣＨをモニタリングすることができる。
ブラインド検出の回数を、ほぼ半分に減らすことができる。
計算の複雑度を低減することができる。
ＵＥの電力を節約できる。
【００６４】
実装態様の前述の説明は、例示および説明を提供するが、網羅的であること、または開示された正確な形態に本発明を限定することを意図しない。修正および変形が上記の教示に照らして可能であり、または本発明の実践から取得することができる。例えば、ブロックについて、特定の順序で、図４および図７に関して説明したが、ブロックの順序は、本発明の原理と一致する他の実装態様で修正することができる。さらに、非依存性ブロックを、並列に実行してもよい。
【００６５】
本発明の態様はまた、方法および／またはコンピュータプログラム製品で実現してもよい。したがって、本発明は、ハードウェアで、および／またはハードウェア／ソフトウェア（ファームウェア、常駐ソフトウェア、およびマイクロコードなど）で、実施することができる。さらに、本発明は、命令実行システムによって、または命令実行システムと関連して使用するためにメディアで実施されるコンピュータ使用可能またはコンピュータ読込み可能プログラムコードを有するコンピュータ使用可能またはコンピュータ読込み可能ストレージメディア上のコンピュータプログラム製品の形式としてもよい。本明細書で説明する実施形態を実現するために使用される実際のソフトウェアコードまたは専門制御ハードウェアによって、本発明は限定されない。したがって、本態様の動作および挙動は、特定のソフトウェアコードを参照することなく説明され、当業者はまた、ソフトウェアおよび制御ハードウェアを設計して、本明細書の記述に基づいて本態様を実現することができることが理解されよう。
【００６６】
さらに、本発明のある部分は、１つまたは複数の機能を実行する「ロジック」として実現してもよい。このロジックは、ハードウェアを含んでもよく、そのようなハードウェアには、特定用途向け集積回路もしくはフィールド・プログラマブル・ゲートアレイまたはハードウェアならびにソフトウェアの組み合わせなどがある。
【００６７】
本明細書で使用される場合、「備える／備えている」という用語は、記載した特徴、完全体、ステップ、構成要素、またはグループの存在を明示するものと解釈されるが、１つまたは複数の他の特徴、完全体、ステップ、構成要素、またはそれらのグループの存在または追加を排除するものではないことが強調されるべきである。
【００６８】
本発明において使用される何らの要素、動作、または命令も、明示的にそのように説明しない限り、本発明に対して重要または本質的なものとして解釈されるべきではない。また、本明細書で使用される場合、冠詞「ａ」は、１つまたは複数の項目を含むことが意図される。ただ１つの項目のみを含む場合、「１つの（ｏｎｅ）」という用語または同様の言葉が使用される。さらに、「に基づいて」というフレーズは、特に明記しない限り、「に少なくとも部分的に基づいて」という意味を意図する。
【００６９】
上記は、本開示の実施形態のみを提供し、本開示を限定する意図はまったくない。したがって、本発明の精神と原理内で行われるすべての変更、置換、または改良などは、本開示の範囲に包含されるべきである。
また、本発明は以下に記載する態様を含む。
（態様１）
不連続受信（ＤＲＸ）モードでのユーザ機器（ＵＥ）のＤＲＸ方法であって、
それぞれがＵＥにサービングしている少なくとも２つの基地局（ＢＳ）の一方の物理ダウンリンク制御チャネル（ＰＤＣＣＨ）の新規送信を検出するステップ（４０１、７０２）と、
前記新規送信が検出された前記一方のＢＳの前記ＰＤＣＣＨを連続的にモニタリングするためにＤＲＸスレッドを起動するステップ（４０２、７０４、７０６）とを備える、ＤＲＸ方法。
（態様２）
初期ＲＲＣ確立中にＲＲＣシグナリングを介して検出されるよう、前記少なくとも２つのＢＳの前記ＰＤＣＣＨのリソース構成についての情報を受信するステップ（７０１）をさらに備える、態様１に記載のＤＲＸ方法。
（態様３）
前記ＵＥが前記少なくとも２つのＢＳによってサービングされる領域に入った場合に検出されるよう、前記少なくとも２つのＢＳの前記ＰＤＣＣＨのリソース構成についての情報を受信するステップ（７０１）をさらに備える、態様１に記載のＤＲＸ方法。
（態様４）
前記ＵＥは、ＤＲＸ構成パラメータのまったく同一のセットを、前記少なくとも２つのＢＳの前記各ＤＲＸスレッドに適用する、態様２または３に記載のＤＲＸ方法。
（態様５）
前記ＤＲＸスレッドを起動するステップは、ショートサイクルタイマ無しに、非アクティビティタイマを構成するステップを備える、態様２または３に記載のＤＲＸ方法。
（態様６）
前記ＤＲＸスレッドを起動するステップは、非アクティビティタイマおよびショートサイクルタイマをも構成するステップを備える、態様２または３に記載のＤＲＸ方法。
（態様７）
前記少なくとも２つのＢＳの第１のＢＳは、ダウンリンクサービングノードであり、一方、前記少なくとも２つのＢＳの第２のＢＳは、アップリンクサービングノードである、態様１に記載のＤＲＸ方法。
（態様８）
以下のタイマ、すなわち、ＨＡＲＴ  ＲＴＴタイマおよびｄｒｘ−再送信タイマの少なくとも一方は、前記検出された新規送信が前記第２のＢＳからであった場合に、前記起動されたＤＲＸスレッドで無効化される（７０５）、態様７に記載のＤＲＸ方法。
（態様９）
前記ＵＥがゼロバッファ状態レポート（ｚｅｒｏ−ＢＳＲ）を前記第２のＢＳに送信した後、連続的ＰＤＣＣＨモニタリングを停止するステップをさらに備える、態様７に記載のＤＲＸ方法。
（態様１０）
前記ＵＥがゼロバッファ状態レポート（ｚｅｒｏ−ＢＳＲ）を前記第２のＢＳに送信した後に所定のタイマ（８４０）が切れた場合に、前記連続的ＰＤＣＣＨモニタリングを停止するステップをさらに備え、前記所定のタイマは、前記ＵＥが前記ｚｅｒｏ−ＢＳＲを前記第２のＢＳに送信すると開始される、態様７に記載のＤＲＸ方法。
（態様１１）
前記第１のＢＳは、前記第２のＢＳよりも高い送信電力を有する、態様７に記載のＤＲＸ方法。
（態様１２）
前記第１のＢＳのダウンリンクは、前記第２のＢＳのアップリンクから切り離される、態様７に記載のＤＲＸ方法。
（態様１３）
前記ＰＤＣＣＨは、拡張ＰＤＣＣＨ（ｅＰＤＣＣＨ）を備える、態様１から１２のいずれか一項に記載のＤＲＸ方法。
（態様１４）
不連続受信（ＤＲＸ）モードでのユーザ機器（ＵＥ）であって、
それぞれが前記ＵＥにサービングしている少なくとも２つの基地局（ＢＳ）の一方の物理ダウンリンク制御チャネル（ＰＤＣＣＨ）を検出するよう構成される検出ユニット（８０２）と、
前記ＵＥのＤＲＸサイクルを制御するよう構成されるＤＲＸ制御ユニット（８０３）と
を備え、前記ＤＲＸ制御ユニットは、前記検出ユニットが、そのＰＤＣＣＨの新規送信を検出すると、ＰＤＣＣＨを連続的にモニタリングするために、ＤＲＸスレッドを起動するよう構成される、ユーザ機器。
（態様１５）
初期ＲＲＣ確立中にＲＲＣシグナリングを介して検出されるよう、前記少なくとも２つのＢＳの前記ＰＤＣＣＨのリソース構成についての情報を受信するよう構成されるリソース構成受信ユニット（８０１）をさらに備える、態様１４に記載のＵＥ。
（態様１６）
前記ＵＥが前記少なくとも２つのＢＳによってサービングされる領域に入った場合に検出されるよう、前記少なくとも２つのＢＳの前記ＰＤＣＣＨのリソース構成についての情報を受信するよう構成されるリソース構成受信ユニット（８０１）をさらに備える、態様１４に記載のＵＥ。
（態様１７）
前記ＤＲＸ制御ユニットは、ＤＲＸ構成パラメータのまったく同一のセットを、前記少なくとも２つのＢＳの前記各ＤＲＸスレッドに適用するよう構成される、態様１５または１６に記載のＵＥ。
（態様１８）
前記ＤＲＸ制御ユニットは、前記ＤＲＸスレッドを起動する場合に、ショートサイクルタイマ無しに、非アクティビティタイマを構成するようさらに構成される態様１５または１６に記載のＵＥ。
（態様１９）
前記ＤＲＸ制御ユニットは、前記ＤＲＸスレッドを起動する場合に、非アクティビティタイマおよびショートサイクルタイマをも構成するようさらに構成される態様１５または１６に記載のＵＥ。
（態様２０）
前記少なくとも２つのＢＳの第１のＢＳは、ダウンリンクサービングノードであり、一方、前記少なくとも２つのＢＳの第２のＢＳは、アップリンクサービングノードである、態様１４に記載のＵＥ。
（態様２１）
前記ＤＲＸ制御ユニットは、前記起動されたＤＲＸスレッドにおける以下のタイマ、すなわち、ＨＡＲＴ  ＲＴＴタイマおよびｄｒｘ−再送信タイマの少なくとも一方を無効にするようさらに構成される、態様２０に記載のＵＥ。
（態様２２）
前記ＤＲＸ制御ユニットは、前記ＵＥがゼロバッファ状態レポート（ｚｅｒｏ−ＢＳＲ）を前記第２のＢＳに送信した後、連続的ＰＤＣＣＨモニタリングを停止するようさらに構成される、態様２０に記載のＵＥ。
（態様２３）
前記ＤＲＸ制御ユニットは、前記ＵＥがゼロバッファ状態レポート（ｚｅｒｏ−ＢＳＲ）を前記第２のＢＳに送信した後に所定のタイマ（８４０）が切れた場合に、連続的ＰＤＣＣＨモニタリングを停止するようさらに構成され、前記所定のタイマは、前記ＵＥが前記ｚｅｒｏ−ＢＳＲを前記第２のＢＳに送信すると開始される、態様２０に記載のＵＥ。
（態様２４）
前記第１のＢＳは、前記第２のＢＳよりも高い送信電力を有する、態様２０に記載のＵＥ。
（態様２５）
前記第１のＢＳのダウンリンクは、前記第２のＢＳのアップリンクから切り離される、態様２０に記載のＵＥ。
（態様２６）
前記ＰＤＣＣＨは、拡張ＰＤＣＣＨ（ｅＰＤＣＣＨ）を備える、態様１４から２５のいずれか一項に記載のＵＥ。
【００７０】
略記
以下において、本発明において使用される略記を一覧表示する。
ＵＥ  ユーザ機器
ＢＳ  基地局
ＵＬ  アップリンク
ＤＬ  ダウンリンク
３ＧＰＰ  第３世代パートナーシップ・プロジェクト
ｅＮＢ  Ｅ−ＵＴＲＡＮノードＢ
ＬＴＥ  ロング・ターム・エボリューション
ＰＤＣＣＨ  物理ダウンリンク制御チャネル
ｅＰＤＣＣＨ  拡張ＰＤＣＣＨ
ＣｏＭＰ  協働マルチポイント
ＵＬ−ＣｏＭＰ  アップリンクＣｏＭＰ
ＤＲＸ  不連続受信
ＤＣＴ  ダウンリンク制御情報
ＢＳＲ  バッファ状態レポート
ＵＴＲＡＮ  ユニバーサル地上無線アクセスネットワーク
【図１】
0006259541.tif 000002
【図２】
0006259541.tif 000003
【図３】
0006259541.tif 000004
【図４】
0006259541.tif 000005
【図５】
0006259541.tif 000006
【図６】
0006259541.tif 000007
【図７】
0006259541.tif 000008
【図８】
0006259541.tif 000009